(57)【特許請求の範囲】
【請求項１】
本体がヒンジ部を介して展開，折畳み自在に構成される折畳み型携帯端末であって、
前記本体内に配設され、当該本体の壁部に穿設されたレンズ孔を介して外部に露出するレンズと、
この本体内の前記レンズ前方に回動自在に配設され、前記レンズ孔を開閉可能に塞ぐレンズカバーと、
前記レンズカバーを、前記本体の展開動作に連動して前記レンズ孔が開く方向に回動させるとともに、当該本体の折畳み動作に連動して前記レンズ孔が閉じる方向に回動させるレンズカバー開閉手段を備え、
前記レンズカバー開閉手段が、
前記レンズカバーを常に閉じる方向に付勢する弾性部材と、
前記本体のヒンジ部の表面に突出形成され、当該本体の展開，折畳み動作に連動してヒンジ部表面に沿って回転移動する凸部と、
展開される前記本体に伴って回転移動する前記凸部により押圧されて、前記弾性部材の付勢力に抗して前記レンズカバーを開く方向に引っ張るとともに、折り畳まれる前記本体により前記凸部による押圧が解除されて、前記レンズカバーの引っ張りを解除するアームと、
を備えることを特徴とする折畳み型携帯端末。
【請求項２】
本体がヒンジ部を介して展開，折畳み自在に構成される折畳み型携帯端末であって、
前記本体内に配設され、当該本体の壁部に穿設されたレンズ孔を介して外部に露出するレンズと、
この本体内の前記レンズ前方に回動自在に配設され、前記レンズ孔を開閉可能に塞ぐレンズカバーと、
前記レンズカバーを、前記本体の展開動作に連動して前記レンズ孔が開く方向に回動させるとともに、当該本体の折畳み動作に連動して前記レンズ孔が閉じる方向に回動させるレンズカバー開閉手段を備え、
前記レンズカバー開閉手段が、
一端が前記レンズカバーの開く方向側に、他端が当該レンズカバーの閉じる方向側に固定されるワイヤと、
このワイヤが巻装状態で固定され、前記本体の展開，折畳み動作に伴って回転し、当該ワイヤを前記レンズカバーの開く方向又は閉じる方向に巻き取るワイヤ巻取りプーリと、
前記ワイヤ巻取りプーリに巻装されたワイヤを、前記レンズカバーの開く方向側及び閉じる方向側に張架する、回転自在な複数の補助プーリと、
を備えることを特徴とする折畳み型携帯端末。
【請求項３】
前記折畳み型携帯端末が、本体に無線通信手段を備えた無線通信端末を構成する請求項１又は２記載の折畳み型携帯端末。
【発明の詳細な説明】
【０００１】
【発明の属する技術分野】
本発明は、折畳み自在に構成された本体内にデジタルカメラを備える、携帯電話機やＰＨＳ用端末機等の携帯端末に関し、特に、携帯端末の本体内にデジタルカメラのレンズを保護するレンズカバーを備えるとともに、このレンズカバーを本体の展開，折畳み動作と連動して開閉する開閉手段を備えることにより、大型，複雑な構造等を必要とすることなく、端末本体にレンズカバーを一体的に設けることができ、かつ、レンズカバーの独立した開閉操作や着脱操作，保管等も不要となる折畳み型携帯端末に関する。
【０００２】
【従来の技術】
近年、携帯可能な筐体に外部との無線通信を行う無線通信手段を備えた、携帯電話機やＰＨＳ用端末機等に代表される携帯端末が広く普及している。
そして、特に最近は、このような携帯端末の更なる利便性，商品性の向上を図り、利用者に魅力ある端末装置を提供する観点から、携帯端末本来の無線通信機能，情報処理機能に加えて、種々の付加的機能や装備を備えた携帯端末が提案，開発されている。
ここで、このような付加的な装備を備える携帯端末として、本体内にデジタルカメラを配設したデジタルカメラ内蔵型の携帯端末がある。
【０００３】
デジタルカメラ内蔵型の携帯端末は、折畳み自在に構成された本体内にデジタルカメラが配設，内蔵されるとともに、カメラのレンズが本体壁部のレンズ孔から露出するように配設されたもので、携帯端末の液晶ディスプレイ等の表示部を見ながらデジタルカメラを用いた撮影が行えるようになっている。
デジタルカメラの画像データは携帯端末で処理，記憶，編集等が可能である上、携帯端末の無線通信機能を利用して他の携帯端末やＰＣ等の情報処理装置に送信できることから、撮影したその場で他の端末等に転送することも可能であり、携帯端末の利用者にとって利便性の高い魅力ある装備，機能として注目されている。
【０００４】
【発明が解決しようとする課題】
しかしながら、これまでのデジタルカメラ内蔵型の携帯端末では、カメラのレンズ部分を保護するカバー等が備えられていなかったため、端末の携帯時等に、レンズに埃や汚れが付着し易く、最悪の場合、レンズに傷や破損が生じるおそれがあるという問題があった。
このため、内蔵されるデジタルカメラに対して、レンズを保護するための何らかの手段を講じることが必要であった。
【０００５】
ここで、このようなレンズの保護手段として、例えば、一般の写真撮影用のカメラ等と同様に、レンズに対して着脱自在に取り付けられるレンズカバーを備えることが考えられる。
しかしながら、通常のカメラの場合、レンズカバーはレンズやカメラ本体と別体に構成されるようになっており、これをそのまま携帯端末に対して適用すると、レンズカバーが携帯端末の本体と別個に設けられることになり、カバーの着脱操作が煩わしくなる上、デジタルカメラの使用時等に、取り外したカバーが邪魔になり、カバーの管理，保管も必要となって、携帯端末の操作性が損なわれるおそれがあった。
【０００６】
また、既存のデジタルカメラやビデオカメラに備えられるレンズカバーのように、レンズカバーを本体に一体的に取り付け、カバー開閉用のスイッチやダイヤルを操作することによりカバーを開閉させる構造とすることも考えられる。
しかしながら、この種のカバーの開閉構造は、独立した撮影手段として使用されるデジタルカメラやビデオカメラの場合には問題とならないが、携帯電話機やＰＨＳ用端末機等の携帯端末に付加的装備として備えられるデジタルカメラのレンズカバー構造としては大がかりなものとなってしまい、開閉構造が複雑かつ大型なものとなり、製造コストも増大し、また、使用の際のスイッチやダイヤル等の開閉操作も煩雑で、携帯端末の小型軽量化や低価格化，簡易な操作性を阻害するおそれがあった。
【０００７】
例えば、特開平８−１７２５５９号や特開平８−２８９１８４号，特開２０００−２６１６９９号，特開２０００−３３２８７１号等の各公報には、この種のレンズカバーの開閉構造が提案されている。
しかし、これらはいずれも、独立したカメラとして使用されるビデオカメラ，デジタルカメラのレンズカバーに関するものであり、上述したように、携帯電話機等の携帯端末に備えられるレンズカバーの開閉構造としては、構造が複雑かつ大型で、開閉動作も煩わしくなるおそれがあり、小型軽量性や操作の簡易性が強く要請される携帯端末への適用は困難であった。
【０００８】
本発明は、このような従来の技術が有する問題を解決するために提案されたものであり、折畳み自在に構成される本体内にデジタルカメラを備える携帯電話機やＰＨＳ用端末機等の携帯端末において、本体内にデジタルカメラのレンズを保護するレンズカバーを備えるとともに、このレンズカバーを本体の展開，折畳み動作と連動して開閉する開閉手段を備えることにより、大型，複雑な構造等を必要とすることなく、端末本体にレンズカバーを一体的に設けることができ、かつ、レンズカバーの開閉操作や着脱操作，保管等も一切不要とし、携帯端末の小型軽量性や操作性を損なうことなく内蔵されるデジタルカメラのレンズを確実に保護することができる折畳み型携帯端末の提供を目的とする。
【０００９】
【課題を解決するための手段】
上記目的を達成するため、本発明の請求項１記載の折畳み型携帯端末は、本体がヒンジ部を介して展開，折畳み自在に構成される折畳み型携帯端末であって、前記本体内に配設され、当該本体の壁部に穿設されたレンズ孔を介して外部に露出するレンズと、この本体内の前記レンズ前方に回動自在に配設され、前記レンズ孔を開閉可能に塞ぐレンズカバーと、前記レンズカバーを、前記本体の展開動作に連動して前記レンズ孔が開く方向に回動させるとともに、当該本体の折畳み動作に連動して前記レンズ孔が閉じる方向に回動させるレンズカバー開閉手段を備え、前記レンズカバー開閉手段が、前記レンズカバーを常に閉じる方向に付勢する弾性部材と、前記本体のヒンジ部の表面に突出形成され、当該本体の展開，折畳み動作に連動してヒンジ部表面に沿って回転移動する凸部と、展開される前記本体に伴って回転移動する前記凸部により押圧されて、前記弾性部材の付勢力に抗して前記レンズカバーを開く方向に引っ張るとともに、折り畳まれる前記本体により前記凸部による押圧が解除されて、前記レンズカバーの引っ張りを解除するアームとを備える構成としてる。
【００１０】
また、請求項２では、本体がヒンジ部を介して展開，折畳み自在に構成される折畳み型携帯端末であって、前記本体内に配設され、当該本体の壁部に穿設されたレンズ孔を介して外部に露出するレンズと、この本体内の前記レンズ前方に回動自在に配設され、前記レンズ孔を開閉可能に塞ぐレンズカバーと、前記レンズカバーを、前記本体の展開動作に連動して前記レンズ孔が開く方向に回動させるとともに、当該本体の折畳み動作に連動して前記レンズ孔が閉じる方向に回動させるレンズカバー開閉手段を備え、前記レンズカバー開閉手段が、一端が前記レンズカバーの開く方向側に、他端が当該レンズカバーの閉じる方向側に固定されるワイヤと、このワイヤが巻装状態で固定され、前記本体の展開，折畳み動作に伴って回転し、当該ワイヤを前記レンズカバーの開く方向又は閉じる方向に巻き取るワイヤ巻取りプーリと、前記ワイヤ巻取りプーリに巻装されたワイヤを、前記レンズカバーの開く方向側及び閉じる方向側に張架する、回転自在な複数の補助プーリとを備える構成としてある。
【００１１】
このような構成からなる本発明の折畳み型携帯端末によれば、本体に内蔵されるデジタルカメラのレンズを保護するレンズカバーを本体内に一体的に配設するとともに、このレンズカバーを本体の展開，折畳み動作と連動して開閉する開閉手段を備えることにより、本体を折り畳むと同時にレンズカバーを閉じ、また、本体を展開すると同時にレンズカバーを開くように動作させることができる。
これにより、レンズを覆うレンズカバーと、本体の折畳み，展開動作に連動する開閉手段という簡易な構成のみによって、本体に一体的に配設されたレンズカバーを、開閉操作や着脱操作を一切必要とすることなく自動的に開閉させることができ、携帯端末の小型軽量性や操作性を損なうことなく、本体に備えられるデジタルカメラのレンズを保護することができる。
【００１３】
特に、請求項１記載の発明によれば、レンズカバーを常に付勢するコイルばね等の弾性部材と、折畳み，展開される本体に押圧されてレンズカバーを引っ張るアームによってレンズカバー開閉手段を構成することができる。
これにより、本発明では、弾性部材とアームというきわめて簡易な構造のみによってレンズカバーを自動的に開閉させることができる。
特に、展開される本体によって押圧されるアームによってレンズカバーの開閉が行われるので、レンズカバー開閉用の駆動源や複雑な機構等が一切不要となり、本体とともに自動開閉するレンズカバーを備えつつ、携帯端末の小型軽量化，低コスト化を図ることが可能となる。
【００１５】
また、請求項２記載の発明によれば、レンズカバーを引っ張るワイヤと、このワイヤを巻き取るプーリ及びワイヤを張架するプーリによってレンズカバー開閉手段を構成することができる。
これにより、本発明では、ワイヤとプーリというきわめて簡易な構造のみによって、レンズカバーを自動的に開閉させることが可能となる。
特に、本体の展開，折畳み動作に伴って回転するプーリによってレンズカバーを開閉させることにより、レンズカバー開閉用の駆動源や複雑な機構等を設けることなく、本体に連動して自動的に開閉するレンズカバーを実現することができる。
【００１８】
そして、請求項３記載の折畳み型携帯端末は、本体に無線通信手段を備えた無線通信端末を構成するようにしてある。
【００１９】
このように、本発明にかかるデジタルカメラのレンズカバー及びレンズカバーの開閉手段を備える携帯端末として、携帯電話機やＰＨＳ用端末機等の無線通信端末を採用することができる。
これにより、近年急速に普及しているデジタルカメラ内蔵型の携帯電話機等の携帯端末に対して、本発明にかかる小型軽量で開閉操作が不要なレンズカバー及びその開閉手段を適用することが可能となり、利用者にとって魅力ある携帯端末を提供することができる。
なお、本発明は、携帯電話機やＰＨＳ用端末等用端末機以外にも、例えばＰＤＡやノート型ＰＣ等、本体が折畳み自在に構成され、本体内にデジタルカメラが備えられる携帯端末であれば、どのような用途，機能のものであっても適用することは可能である。
【００２０】
【発明の実施の形態】
以下、本発明にかかる折畳み型携帯端末の好ましい実施形態について、図面を参照しつつ説明する。
［第一実施形態］
まず、図１〜図３を参照して、本発明にかかる折畳み型携帯端末の第一実施形態について説明する。
図１は、本発明の第一実施形態にかかる折畳み型携帯端末を模式的に示す図であり、本体を展開した状態の背面側から見た斜視図である。
図２は、本実施形態にかかる折畳み型携帯端末のレンズカバー開閉手段を模式的に示す図であり、本体を折り畳んだ状態における、（ａ）は要部断面側面図、（ｂ）は本体壁部の一部を切り欠いた背面図である。
図３は、同じく本実施形態にかかる折畳み型携帯端末のレンズカバー開閉手段を模式的に示す図であり、本体を展開した状態における、（ａ）は要部断面側面図、（ｂ）は本体壁部の一部を切り欠いた背面図である。
【００２１】
これらの図に示す本実施形態の折畳み型携帯端末は、携帯電話機やＰＨＳ用端末機等の無線通信装置を構成しており、具体的には、図１に示すように、上側本体１と下側本体２とが、ヒンジ部３を介して折畳み自在に連結されている。
上側本体１及び下側本体２（以下「本体１，２」という）は、本実施形態では特に図示していないが、上側本体１には液晶ディスプレイ等からなる表示手段が備えられ、下側本体２には、キーボタン等からなる入力手段が備えられ、また、本体１，２内には無線通信装置に備えられる各部が配設されるようになっており、無線通信装置として機能するようになっている。
なお、本実施形態にかかる携帯端末は、以下に説明するレンズカバー５及びレンズカバー開閉手段に関する部分を除いて、内蔵されるデジタルカメラを含めて既存の携帯電話機やＰＨＳ用端末機等の携帯型無線通信装置と同様の構成，機能となっており、本実施形態においては詳細な説明は省略してある。
【００２２】
下側本体２には、デジタルカメラ（図示省略）が内蔵されるとともに、デジタルカメラのレンズ４が、下側本体２の筐体背面側の壁部に穿設されたレンズ孔２ａを介して外部に露出するように配設さている。
そして、このレンズ４とレンズ孔２の間に、レンズカバー５が配設されるようになっている。
レンズカバー５は、図２及び図３に示すように、一側において軸５ａを支点として下側本体２の内壁に回動自在に取り付けられ、他側においてレンズ孔２ａの開口を開閉可能に塞ぐ板状部材である。
本実施形態では、図２及び図３に示すように、レンズカバー５をほぼ笏形状の薄長板により形成してある。
ただし、このレンズカバー５は、下側本体２に回動自在に取り付けられ、レンズ孔２ａを開閉可能に塞ぐものであれば、特に外形や厚み，材質等は限定されず、例えば、矩形や長楕円形等とすることもできる。
【００２３】
そして、本実施形態では、このレンズカバー５を、本体１，２の展開動作に連動してレンズ孔２ａが開く方向に回動させるとともに、本体１，２の折畳み動作に連動してレンズ孔２ａが閉じる方向に回動させるレンズカバー開閉手段を備えている。
具体的には、レンズカバー開閉手段は、レンズカバー５を常に閉じる方向に引っ張るコイルばね９と、本体１，２の展開動作に伴ってレンズカバー５を開く方向に引っ張るアーム６及びアーム６にリンクしたロッド７を有している。
【００２４】
コイルばね９は、一端がレンズカバー５に固定されるとともに、他端が下側本体２の内壁に固定され、レンズカバー５が軸５ａを支点としてレンズ孔２ａを閉じる方向に回動するように、当該レンズカバー５を常に一方向（図２（ａ）に示す矢印方向）に付勢する付勢手段である。
なお、コイルばね９は、レンズカバー５を常に閉じる方向に付勢できる限り、他の弾性部材、例えばゴム，板ばね等に変更することもできる。
【００２５】
アーム６は、下側本体２内のヒンジ部３の近傍に配設される棒状部材で、図２及び図３に示すように、軸２ｂを支点として本体１，２の折畳み，展開方向と同一方向に回動可能に取り付けられている。
また、アーム６の一端側には、回動自在なリンク７ａを介して棒状部材からなるロッド７が接続されており、このロッド７の反対側の端部は、回動自在なリンク７ｂを介してレンズカバー５に取り付けられている。
そして、このアーム６が、本体１，２の展開動作により押圧されて軸２ｂを支点にして回動されるようになっており、これによって、アーム６の回動がロッド７を介してレンズカバー５に伝えられ、レンズカバー５をコイルばね９の付勢力に抗して開く方向に引っ張るようになっている。
【００２６】
具体的には、まず、下側本体２側には、ヒンジ部３の近傍の壁部に、外部と連通する孔部２ｂが穿設されており、この孔部２ｂに、アーム６の、ロッド７が接続されていない側の端部（以下「先端部」という）が位置するようになっている（図２参照）。
一方、上側本体１側には、ヒンジ部３の表面に突出する凸部１ａが形成されており、この凸部１ａが上側本体１の移動に伴ってヒンジ部３の表面に沿って回転して、孔部２ｂを介してアーム６の先端部に当接し、アーム６を押圧するようになっている。
【００２７】
これにより、まず、本体１，２が折り畳まれた状態では、上側本体１の凸部１ａがアーム６から離間する位置にあり、アーム６に対する押圧は行われない（図２に示す状態）。すなわち、押圧解除状態にある。
そして、本体１，２が展開されると、凸部１ａが上側本体１に伴って回転，移動し、下側本体２の孔部２ｂ内に突出して、孔部２ｂに位置するアーム６の先端部を押圧する（図３に示す状態）。
これにより、アーム６及びアーム６にリンクするロッド７は、本体１，２が展開動作に伴って凸部１ａに押圧され、コイルばね９の付勢力に抗してレンズカバー５を開く方向に引っ張るとともに、本体１，２が折り畳まれると、凸部１ａの押圧が解除されて、レンズカバー５の引っ張りを解除し、レンズカバー５がコイルばね９によって付勢され、閉じられることになる。
【００２８】
次に、以上のような構成からなる本実施形態にかかる折畳み型携帯端末の動作について、図２及び図３を参照しつつ説明する。
まず、図２に示すように、レンズカバー５は、本体１，２の折畳み状態においては、コイルばね９の付勢力によって常に下側本体２の中央方向（図２に示す矢印方向）に引っ張られており、レンズカバー５はレンズ孔２ａを閉じた状態で保持される。
従って、この状態では、レンズカバー５がレンズ４の前方、すなわちレンズ４とレンズ孔２ａの間に位置しており、レンズ４は外部に露出することなく保護されるようになる。
【００２９】
次に、本体１，２が展開されると、図３に示すように、上側本体１の凸部１ａが回転し、下側本体２の孔部２ｂを介してアーム６の先端部に当接し、アーム６を押圧する。
押圧されたアーム６は、軸６ａを支点として回転し、リンク７ａを介して接続，連動したロッド７を引っ張り、ロッド７は下側本体２内を、ヒンジ部３の方向（図３に示す矢印方向）に移動する。
【００３０】
そして、ロッド７は、リンク７ｂを介して接続されたレンズカバー５を移動方向に引っ張り、この結果、レンズカバー５は、軸５ａを支点として回動し、レンズ孔２ａの位置から外れることになる。
これにより、レンズカバー５は、レンズ４の前方から外れて開いた状態となり、この状態でレンズ４はレンズ孔２ａから露出する。
従って、この状態で、内蔵されたデジタルカメラを用いた撮影等が可能となる。
なお、レンズカバー５は、ヒンジ部３のロック機構等によって本体１，２の展開状態が固定されることにより、開いた状態で維持される。
また、ヒンジ部３のロック機構は、本体１，２を折り畳むことにより解除されるようになっている。
【００３１】
そして、デジタルカメラ等の使用後、本体１，２を折り畳むと、アーム６に当接している凸部１ａが離間し、凸部１ａによる押圧が解除される。
凸部１ａの押圧が解除されると、アーム６によるレンズカバー５の引っ張りも解除されるので、レンズカバー５は、コイルばね９の付勢力によって下側本体２の中央方向（図２に示す矢印方向）に引っ張られることになり、レンズカバー５はレンズ孔２ａを閉じる位置まで戻される。
この状態では、レンズカバー５がレンズ４の前方に位置し、上述したレンズ４が保護された状態に復帰する。
【００３２】
以上説明したように、本実施形態にかかる折畳み型携帯端末によれば、下側本体２に内蔵されるデジタルカメラのレンズ４を保護するレンズカバー５を、下側本体２内に回動自在に配設するとともに、レンズカバー５を本体の展開，折畳み動作と連動して開閉する開閉手段を備えることにより、本体１，２を折り畳むと同時にレンズカバー５を閉じ、また、本体１，２を展開すると同時にレンズカバー５を開くように動作させることができる。
これにより、レンズ４を覆うレンズカバー５と、本体１，２の折畳み，展開動作に連動する簡易な開閉手段のみによって、下側本体２に一体的に配設されたレンズカバー５を、開閉操作や着脱操作を一切必要とすることなく自動的に開閉させることが可能となり、携帯端末の小型軽量性や操作性を損なうことなく、下側本体２に備えられるデジタルカメラのレンズ４を容易かつ確実に保護することができる。
【００３３】
特に、本実施形態では、レンズカバー５の開閉手段を、レンズカバー５を常に付勢するコイルばね９と、折畳み，展開される本体１，２の凸部１ａによって押圧されてレンズカバー５を引っ張るアーム６（及びロッド７）によって構成してあるので、コイルばね９とアーム６（及びロッド７）というきわめて簡易な構造のみによってレンズカバー５を自動的に開閉させることができる。
これにより、レンズカバー開閉用の駆動源や複雑な機構等が一切不要となり、本体１，２とともに自動的に開閉するレンズカバー５を備えつつ、携帯端末の小型軽量化，低コスト化を図ることが可能となる。
【００３４】
なお、本実施形態では、上述したように、本発明にかかるデジタルカメラのレンズカバー及びレンズカバーの開閉手段を備える携帯端末として、携帯電話機やＰＨＳ用端末機等の無線通信端末を採用している。
これにより、近年急速に普及しているデジタルカメラ内蔵型の携帯電話機等の携帯端末に対して、本発明にかかる小型軽量で開閉操作が不要なレンズカバー及びその開閉手段を適用することが可能となり、利用者にとって魅力ある携帯端末を提供することができる。
ただし、本発明は、携帯電話機やＰＨＳ用端末等用端末機以外にも、例えばＰＤＡやノート型ＰＣ等、本体が折畳み自在に構成され、本体内にデジタルカメラが備えられる携帯端末であれば、どのような用途，機能のものであっても適用することは可能である。
【００３５】
［第二実施形態］
次に、本発明にかかる折畳み型携帯端末の第二実施形態について、図４を参照しつつ説明する。
図４は、本発明の第二実施形態にかかる折畳み型携帯端末のレンズカバー開閉手段を模式的に示す図であり、本体を展開した状態における、（ａ）は要部断面側面図、（ｂ）は本体壁部の一部を切り欠いた背面図である。
【００３６】
同図に示す本実施形態にかかる折畳み型携帯端末は、上述した第一実施形態の変形実施形態であり、レンズカバー開閉手段の構成を変更したものである。
従って、その他の構成部分は、第一実施形態と同様となっており、同様の構成部分については、図中で第一実施形態と同一符号を付し、詳細な説明は省略する。
【００３７】
図４に示すように、本実施形態にかかるレンズカバー開閉手段は、ワイヤ１０，ワイヤ巻取りプーリ１１及び補助プーリ１２，１３を備えている。
ワイヤ１０は、図４に示すように、下側本体２内に配設されて、一端がレンズカバー５の開く方向側に固定されるとともに、他端がレンズカバー５の閉じる方向側に固定されるようになっている。
そして、このワイヤ１０が、ワイヤ巻取りプーリ１１及び補助プーリ１２，１３に巻装，張架されて、レンズカバー５を開閉させるようになっている。
【００３８】
ワイヤ巻取りプーリ１１は、上側本体１内のヒンジ部３と同一回転軸上に配設，軸止され、上側本体１の展開，折畳み動作に伴って回転するようになっている。
そして、このワイヤ巻取りプーリ１１の外周に、ワイヤ１０が巻装状態で固定されるようになっている。
これによって、ワイヤ巻取りプーリ１１が上側本体１に伴って回転すると、ワイヤ１０がワイヤ巻取り１１の外周に巻き取られることになる。
なお、ワイヤ１０は、下側本体２の外壁に穿設された孔部２ｃを介して、上側本体１内に装架され、ワイヤ巻取りプーリ１１の外周に巻装できるようになっている。
【００３９】
補助プーリ１２，１３は、下側本体２内に配設され、図示しない本体壁部等によって回転可能に軸支されている。
そして、これら補助プーリ１２，１３は、一方のプーリ（図４に示す補助プーリ１２）が、ワイヤ巻取りプーリ１１に巻装されたワイヤ１０をレンズカバー５の開く方向側に張架するとともに、他方のプーリ（図４に示す補助プーリ１３）が、ワイヤ１０をレンズカバー５が閉じる方向側に張架するようになっている。なお、補助プーリは、本実施形態では、二つの補助プーリ（１２，１３）を備えているが、ワイヤ巻取りプーリ１１に巻装されたワイヤ１０を、レンズカバー５の開く方向及び閉じる方向に張架できる限り、その個数や配設箇所，大きさ等については特に本実施形態の場合には限定されない。
【００４０】
以上のような構成からなる本実施形態のレンズカバー開閉手段の動作について説明する。
本実施形態のレンズカバー開閉手段では、両端がそれぞれレンズカバー５に取り付けられたワイヤ１０が、ワイヤ巻取りプーリ１１に巻装状態で固定されているので、本体１，２の展開，折畳み動作に伴ってワイヤ巻取りプーリ１１が回転すると、ワイヤ１０が、ワイヤ巻取りプーリ１１によってレンズカバー５の開く方向又は閉じる方向に巻き取られ、これによって、レンズカバー５が開閉される。
【００４１】
具体的には、まず、本体１，２が展開されると、上側本体１に伴ってワイヤ巻取りプーリ１１は時計回り方向に回転し、ワイヤ１０はワイヤ巻取りプーリ１１に時計回りに巻き取られる。
ワイヤ１０が時計回りに巻き取られると、レンズカバー５の開く方向側に固定されたワイヤ１０が引っ張られるとともに、閉じる方向側に固定されたワイヤが緩められることになる。
これよって、レンズカバー５は、ワイヤ１０によって開く方向に引っ張られ、レンズ４の前方から外れる位置に移動し、レンズ孔２ａが開いた状態となり、レンズ４はレンズ孔２ａから露出する。
この状態で、内蔵されたデジタルカメラを用いた撮影等が可能となる。
【００４２】
一方、本体１，２が折り畳まれると、上側本体１に伴ってワイヤ巻取りプーリ１１は反時計回り方向に回転し、ワイヤ１０はワイヤ巻取りプーリ１１に反時計回りに巻き取られる。
ワイヤ１０が反時計回りに巻き取られると、レンズカバー５の閉じる方向側に固定されたワイヤ１０が引っ張られるとともに、開く方向側に固定されたワイヤが緩められることになる。これよって、レンズカバー５は、ワイヤ１０によって閉じる方向に引っ張られ、レンズ孔２ａを塞ぐ状態に閉じられる。
この状態では、レンズカバー５がレンズ４の前方に位置しており、レンズ４は外部に露出することなく保護されることになる。
【００４３】
以上のように、図４に示す本実施形態の折畳み型携帯端末によれば、レンズカバー５を引っ張るワイヤ１０と、ワイヤ１０を巻き取るワイヤ巻取りプーリ１１及びワイヤ１０を張架する補助プーリ１２，１３によってレンズカバー開閉手段を構成することができる。
これによって、ワイヤ１０とプーリ１１，１２，１３というきわめて簡易な構造のみによって、レンズカバー５を自動的に開閉させることが可能となり、上述した第一実施形態の場合と同様に、簡易な構成のみによってレンズカバー開閉手段を構成でき、携帯端末の小型軽量性や操作性を損なうことなく、本体１，２と連動するレンズカバー５を備えることができる。
特に図４に示す携帯端末では、上側本体１の展開，折畳み動作に伴って回転するワイヤ巻取りプーリ１１によってレンズカバー５を開閉させることができるので、レンズカバー開閉用の駆動源や複雑な機構等を設けることなく、本体１，２に連動して自動的に開閉するレンズカバーを備えることができる。
【００４８】
なお、本発明の折畳み型携帯端末は、上述した実施形態にのみ限定されるものではなく、本発明の要旨の範囲で種々の変更実施が可能であることは言うまでもない。
例えば、本体に内蔵されるデジタルカメラのレンズは、上述した実施形態では端末本体の背面側に配設，露出するようになっていたが、レンズが配設される方向や位置、すなわち、レンズ孔の形成方向や形成位置は、特に端末背面に限られるものではない。
従って、端末の正面側や側面部にレンズが配設，露出される場合でも、本発明にかかるレンズカバーの自動開閉手段を適用することは勿論可能である。
【００４９】
【発明の効果】
以上説明したように、本発明の折畳み型携帯端末によれば、折畳み自在に構成された本体内にデジタルカメラを備える携帯電話機やＰＨＳ用端末機等の携帯端末において、携帯端末の本体内にデジタルカメラのレンズを保護するレンズカバーを備えるとともに、このレンズカバーを本体の展開，折畳み動作と連動して開閉する開閉手段を備えることにより、大型，複雑な構造等を必要とすることなく、端末本体にレンズカバーを一体的に設けることができ、かつ、レンズカバーの開閉操作や着脱操作，保管等も一切不要とすることができる。
これにより、携帯端末の小型軽量性や操作性を損なうことなく、内蔵されるデジタルカメラのレンズを保護することが可能となり、特に、デジタルカメラ内蔵型の携帯電話機，ＰＨＳ用端末等の無線通信装置に好適である。
【図面の簡単な説明】
【図１】  本発明の第一実施形態にかかる折畳み型携帯端末を模式的に示す図であり、本体を展開した状態の背面側から見た斜視図である。
【図２】  本発明の第一実施形態にかかる折畳み型携帯端末のレンズカバー開閉手段を模式的に示す図であり、本体を折り畳んだ状態における、（ａ）は要部断面側面図、（ｂ）は本体壁部の一部を切り欠いた背面図である。
【図３】  本発明の第一実施形態にかかる折畳み型携帯端末のレンズカバー開閉手段を模式的に示す図であり、本体を展開した状態における、（ａ）は要部断面側面図、（ｂ）は本体壁部の一部を切り欠いた背面図である。
【図４】  本発明の第二実施形態にかかる折畳み型携帯端末のレンズカバー開閉手段を模式的に示す図であり、本体を展開した状態における、（ａ）は要部断面側面図、（ｂ）は本体壁部の一部を切り欠いた背面図である。
【符号の説明】
１  上側本体
１ａ  凸部
２  下側本体
２ａ  レンズ孔
３  ヒンジ部
４  レンズ
５  レンズカバー
５ａ  軸
６  アーム
６ａ  軸
７  ロッド
７ａ  リンク
７ｂ  リンク
９  コイルばね
１０  ワイヤ
１１  ワイヤ巻取りプーリ
１２，１３  補助プーリ
【図１】
0003736839.tif 000002
【図２】
0003736839.tif 000003
【図３】
0003736839.tif 000004
【図４】
0003736839.tif 000005